(57)【要約】【課題】  クラブヘッドに被せるときに横滑りせず被せ易く、ヘッドカバーの向きがクラブヘッドの向きと合致するように被せることができるヘッドカバーを提供する。【解決手段】  ヘッドカバーのシャフト保護部のクラブヘッドを出し入れ可能な出入り口の内周面、又は、内周面と外周面に滑り止め材を設けて、クラブヘッドに被せるときにシャフト保護部が横滑りしにくくなるようにした。前記出入り口の周方向一部に開口部を設け、その両側方に滑り止め材を設けることができる。シャフト保護部は伸縮性のある材質製又は構造とすることができる。【選択図】図１
0003159485.tif 000002
【実用新案登録請求の範囲】
【請求項１】
ゴルフクラブのヘッドに被せるヘッド保護部と、シャフトに被せるシャフト保護部とを備えたゴルフクラブ用ヘッドカバーにおいて、
ゴルフクラブを出し入れ可能な出入り口が前記シャフト保護部の一端に開口され、
前記シャフト保護部は伸縮性があり、
滑り止め材が前記出入り口の周縁部内面、又は周縁部内面及び周縁部外面の全周又は一箇所又は二以上の箇所に設けられたことを特徴とするゴルフクラブ用ヘッドカバー。
【請求項２】
請求項１記載のゴルフクラブ用ヘッドカバーにおいて、
滑り止め材がクラブヘッドに傷の付きにくい材質又は構造であることを特徴とするゴルフクラブ用ヘッドカバー。
【請求項３】
請求項１又は請求項２記載のゴルフクラブ用ヘッドカバーにおいて、
シャフト保護部がニット製であることを特徴とするゴルフクラブ用ヘッドカバー。
【請求項４】
請求項１乃至請求項３のいずれかに記載のゴルフクラブ用ヘッドカバーにおいて、
ヘッド保護部が非伸縮性又は伸縮性に乏しい材質製又は構造であることを特徴とするゴルフクラブ用ヘッドカバー。
【請求項５】
請求項１乃至請求項４のいずれかに記載のゴルフクラブ用ヘッドカバーにおいて、
ヘッド保護部が非伸縮性又は伸縮性に乏しい材質製又は構造であり、その一部が伸縮性のある材質製又は構造であることを特徴とするゴルフクラブ用ヘッドカバー。
【請求項６】
請求項１乃至請求項５のいずれかに記載のゴルフクラブ用ヘッドカバーにおいて、
シャフト保護部の出入り口を横に広げることのできる開口部がシャフト保護部の軸方向に形成され、
前記開口部の一端が出入り口に連通開口し、
滑り止め材が前記出入り口の周縁部内面、又は周縁部内面及び周縁部外面であって前記開口部の両側方に設けられたことを特徴とするゴルフクラブ用ヘッドカバー。
【請求項７】
請求項６記載のゴルフクラブ用ヘッドカバーにおいて、
開口部がヘッド保護部の正面側頂部の下方位置に設けられたことを特徴とするゴルフクラブ用ヘッドカバー。
【考案の詳細な説明】
【技術分野】
【０００１】
本願考案はゴルフクラブ用ヘッドカバーに関する。
【背景技術】
【０００２】
ゴルフクラブ（以下、単に「クラブ」という。）にはウッドクラブ（金属製、チタン製のものを含む。以下同じ。）、アイアンクラブ、ユーティリティクラブ、パター等がある。ゴルフクラブ用ヘッドカバー（以下、単に「ヘッドカバー」という。）はクラブヘッドからシャフトに被せてクラブヘッド及びシャフトを保護するものである。
【０００３】
ウッドクラブ、特に、ドライバーは飛距離、方向性等々の面から改良が重ねられ、近年はヘッドが大型化（容積が４００ｃｃ前後）、シャフトは長尺化（４５インチ前後）の傾向にある。それに伴ってウッドクラブ用のヘッドカバーも大型化している。
【０００４】
ウッドクラブ用ヘッドカバーの一例として、ヘッドに被せるヘッド保護部と、シャフトに被せるシャフト保護部を備えたものがある（特許文献１）。特許文献１記載のヘッドカバーは、ヘッドカバーをクラブヘッドに被せ易くするため、シャフト保護部にスリットを設けたものである。
【先行技術文献】
【特許文献】
【０００５】
【特許文献１】特開２００６−０２１０３６号公報
【考案の概要】
【考案が解決しようとする課題】
【０００６】
前記特許文献１記載のヘッドカバーは、次のような難点があった。
（１）クラブヘッドの先端部分はカーブしているため、ヘッドカバーが横滑りして位置ずれしたり、クラブヘッドがシャフト保護部の外側にはずれたりして、クラブに被せにくかった。
（２）シャフト保護部に爪を立てるようにして出入り口を強くつかまないと、クラブに被せる際にヘッドカバーが不用意に指から外れてしまうことがある。強くつかんで被せてもヘッドカバーの向きがクラブヘッドの向きからずれることがあるため、被せた後に、一々、ヘッドカバーの向きを修正してクラブヘッドの向きに合わせなければならないという面倒があった。
（３）ヘッド保護部の向きを確認できる目印がないため、ヘッド保護部の向きを確認してからシャフト保護部をクラブヘッドに被せなければならず、位置合わせが面倒であった。
【０００７】
本願考案の解決課題は、クラブに被せる際に横滑りすることなく安定して被せ易く、一々ヘッド保護部の向きを確認せずとも、ヘッド保護部の向きがクラブヘッドの向きからずれないようにしたヘッドカバーを提供することにある。
【課題を解決するための手段】
【０００８】
本願考案のヘッドカバーは、クラブヘッドに被せるヘッド保護部とシャフトに被せるシャフト保護部とを備え、ゴルフクラブを出し入れ可能な出入り口が前記シャフト保護部の一端に開口され、前記シャフト保護部は伸縮性があり、滑り止め材が前記出入り口の周縁部内面、又は周縁部内面及び周縁部外面の全周又は一箇所又は二以上の箇所に設けられたものである。前記滑り止め材はクラブヘッドに傷の付きにくい材質又は構造とするのが適する。前記シャフト保護部は伸縮性のあるニット製とか、伸縮性のある他の材質製、構造とすることができる。前記ヘッド保護部は非伸縮性又は伸縮性に乏しい材質製、構造とすることもできる。ヘッド保護部が非伸縮性又は伸縮性に乏しい材質製又は構造である場合、その一部を伸縮性のある材質製又は構造とすることもできる。シャフト保護部の周方向の一部に、出入り口を横に広げることのできる開口部を設け、開口部をシャフト保護部の軸方向（縦方向）に細長に形成し、その開口部の一端を出入り口に連通開口したものとすることもできる。前記開口部はシャフト保護部の周方向の一部であってヘッド保護部の正面側先端の真下方向の箇所に形成することができる。前記滑り止め材は前記出入り口の周縁部内面、又は周縁部内面及び周縁部外面であって前記開口部の両側方に設けることもできる。開口部はヘッド保護部の正面側頂部の下方位置に設けることが好ましい。
【考案の効果】
【０００９】
本願考案のヘッドカバーには次のような効果がある。
（１）シャフト保護部の出入り口の周縁部内面、又は周縁部内面及び周縁部外面の全周又は一箇所又は二以上の箇所に滑り止め材を設けたので、ヘッドカバーをクラブヘッドに被せる際に横滑りしたりクラブヘッドから外れたりしにくくなり、安定した状態でクラブに被せることができる。シャフト保護部をヘッドに被せるときに滑り止め材を所定の向きにすれば、ヘッド保護部の向きもずれず、被せてから向きを直す必要もない。
（２）滑り止め材を肉厚にした場合、ヘッドカバーをクラブヘッドに被せる際に滑り止め材に指を掛けやすくなり、ヘッドカバーから指がずれず、ヘッドカバーをクラブヘッドに被易くなる。
（３）滑り止め材を二以上の箇所に設けた場合、滑り止め効果が高まり、ヘッドに被せるときのシャフト保護部の向き合わせもし易くなる。
（４）シャフト保護部の出入り口からヘッド保護部側に細長の開口部を設けた場合、開口部を開いて出入り口を広くすることができるため、前記滑り止め効果に加えて、シャフト保護部をクラブヘッドに被せ易くなるという効果もある。
（５）開口部の両外側に滑り止め材を設けた場合は、開口部の外側から両滑り止め材に指を掛けることができるので、ヘッドカバーを横ずれすることなくシャフトに沿って引き下ろし易くなり、ヘッド保護部の向きがクラブヘッドの向きとずれずに被せられる。
（６）開口部をヘッド保護部の先端と同じ側に設け、滑り止め材をその開口部の両外側に設けた場合、クラブヘッドの先端を、ヘッドカバーを被せる人の方に向け、シャフト保護部の開口部をも同方向に向けてクラブヘッドに被せれば、ヘッド保護部の向きがクラブヘッドの向きと自動的に一致するため、滑り止め材がヘッド保護部の向き確認用の目印となり、ヘッド保護部の向きがクラブヘッドの向きと合うようにヘッドカバーをクラブに被せることができる。
【図面の簡単な説明】
【００１０】
【図１】本願考案のヘッドカバーの一例を示すものであって、（ａ）は一方の側面からみた斜視図、（ｂ）は他方の側面からみた斜視図。
【図２】本願考案のヘッドカバーの使用方法の説明図であって、（ａ）はヘッドカバーをクラブヘッドに宛がった状態を示すもの、（ｂ）はその拡大図。
【図３】本願考案のヘッドカバーの使用方法の説明図であって、（ａ）はヘッドカバーをクラブヘッドに被せている状態を示すもの、（ｂ）はその拡大図。
【図４】本願考案のヘッドカバーの他の一例を示すものであって、（ａ）はその斜視図、（ｂ）はそのヘッドカバーに用いる滑り止め材の側面図。
【図５】本願考案のヘッドカバーの開口部と頂部との位置関係を示す正面図。
【考案を実施するための形態】
【００１１】
（実施形態）
本願考案のヘッドカバーの実施形態を、図面を参照して説明する。図１のヘッドカバー１はウッドクラブ用であり、クラブヘッドＨに被せるヘッド保護部２と、シャフトＳに被せるシャフト保護部３とが縫合とか接着等の他の手段で一連に形成されている。シャフト保護部３の一端にはクラブを出し入れ可能な出入り口４が設けられ、出入り口４の周方向の一部に開口部７が設けられている。開口部７はシャフト保護部３の出入り口４のやや上方位置から出入り口４に連通開口する縦長に形成され、開口部７の両外側内周面に滑り止め材５を設けて、ヘッドカバー１をクラブヘッドＨに被せるときのヘッドカバー１の横滑りが防止されるようにしてある。
【００１２】
前記ヘッド保護部２はクラブヘッドＨの全周を被覆できるようにクラブヘッドＨの全周よりも大きめに形成してある。ヘッド保護部２は非伸縮性又は伸縮性に乏しい材料や構造にしてあり、その一部を伸縮性のある材料や構造にしてある。図１（ａ）、（ｂ）ではソール部２ａ、背面部２ｂ及び両側面部２ｃ、２ｄを非伸縮性又は伸縮性に乏しい合成皮革とか他の素材製とし、前面部３ａと背面部２ｂ及び両側面部２ｃ、２ｄの間の両背面側部３ｂ、３ｃとを伸縮性のあるニットにしてある。前面部３ａ及び両背面側部３ｂ、３ｃはニットではなく伸縮性のある他の素材製とすることもできる。伸縮性を付与するのは前面部３ａ及び両背面側部３ｂ、３ｃではなく他の部分でもよい。ヘッド保護部２は全面を非伸縮性の素材製又は構造とすることもできる。
【００１３】
前記シャフト保護部３はクラブのシャフトＳを被覆できるように細長筒状にしてあり、ニットにして伸縮性をもたせてある。シャフト保護部３はニット以外の伸縮性のある素材や構造にすることができる。図１、２ではシャフト保護部３のニットの一部（前記前面部３ａ及び両背面側部３ｂ、３ｃ）をヘッド保護部２の両側面途中まで伸ばして、ヘッド保護部２に伸縮性を持たせてある。シャフト保護部３の一部はヘッド保護部２まで伸ばさなくてもよく、伸ばす場合は図１（ａ）、（ｂ）に示す部分以外の部分を伸ばしてもよい。
【００１４】
前記シャフト保護部３はその下端部を折り返して出入り口４の周縁部を二重にして、シャフト保護部３の他の部分よりも肉厚にして補強し、型崩れしにくくしてある。出入り口４の周方向一部には細長の開口部７が形成されている。図１（ａ）、（ｂ）の開口部７はニット製のシャフト保護部３の出入り口４のやや上方位置から出入り口４までスリットを入れて、出入り口４に連通開口する細長（縦長）にし、その周縁に宛て材６を宛がって縫いつけて開口部７の周縁部７ａがほつれないようにしてある。この場合、開口部７はニットの伸縮性により横に広がって略Ｕ字形或いは略Ｖ字形になる。開口部７は図示したものより長くても短くてもよく、形状もＵ字形やＶ字形以外であってもよい。開口部７は、図５に示すように、シャフト保護部３の出入り口４の周縁部であって、ヘッド保護部２の正面先端部（頂部２ｅ）の真下位置に形成するのが望ましく、この位置に形成するとヘッドカバー１をクラブヘッドＨに被せるときに開口部７を位置決めの目印にすることができる。即ち、図１のようにクラブを立ててヘッドカバー１を被せるときに、開口部７をクラブヘッドＨのソールＸの幅方向中央に位置決めして被せると、ヘッドカバー１がクラブヘッドＨの向きに自動的に合致する。
【００１５】
前記滑り止め材５は前記出入り口４の周縁部内面に設けられている。滑り止め材５は出入り口４の周縁部内面以外の箇所、例えば、周縁部よりもヘッド保護部２寄りのシャフト保護部３内面に設けることもできる。滑り止め材５は滑りにくい特性を備えた材質が適し、例えば樹脂、ゴム等が適する。図１に示す滑り止め材５は横長長方形であり、クラブヘッドＨに接触する面（接触面５ａ）は凹凸にしてある。滑り止め材５は長方形に限らず、正方形、円形、星形、花形といった各種形状とすることができ、接触面５ａの凹凸形状も球状、山形、突条、細長溝と言った各種形状とすることができる。滑り止め材５は開口部７の両外側（両側方）に１つずつ設けられて、ヘッドカバー１をクラブヘッドＨに被せるときに接触面５ａがクラブヘッドＨの２か所に接触して横滑りしにくくなるようにしてある。滑り止め材５の数は１つでも３つ以上でもよく、１つの場合は横長テープ状にして、開口部７を除く出入り口４の周縁部内面全周に取り付けることができる。図１に示す滑り止め材５は縫い付けて固定してあるが、接着剤や他の手段で固定することもできる。
【００１６】
滑り止め材５は図４（ａ）のように出入り口４の周縁部内面から外面まで連続して設けることもできる。この場合は、細長テープ状の滑り止め材５を図４（ａ）、（ｂ）に示すようにシャフト保護部３の下端周縁３ｄにその下方から被せて下端周縁３ｄを内側と外側から挟んで取り付けるとか、細長テープ状の滑り止め材５を下端周縁３ｄの内側から外側に折り返して、又は外側から内側に折り返して下端周縁３ｄに取り付けることができる。滑り止め材５は出入り口４の周縁部内面と外面に別々に宛がって取り付けることもできる。この場合は、周縁部内面と外面の対向位置に設けることも、位置をずらして取り付けることもできる。滑り止め材５は図４（ｂ）のようにその上縁部５ｂを内側に折り曲げて取り付けてもよく、このようにすると、その折り返し部５ｃに指を掛け易くなる。滑り止め材５を下端周縁３ｄの外周面にも設けることにより、クラブヘッドＨに被せるときに外周面の滑り止め材５に指を掛けて引き下げ易くなる。
【００１７】
図示した実施形態は、ドライバー用のヘッドカバー１を一例として説明しているが、他のウッドクラブ用、ユーティリティクラブ用のヘッドカバーとして使用することもできる。この場合はヘッド保護部２やシャフト保護部３の形状やサイズを被せるクラブのクラブヘッドＨの大きさに合わせて決定する。ヘッドカバー１は、シャフト保護部３に開口部７が設けられていないものであってもよい。
【００１８】
図示した実施形態は、シャフト保護部３と別体の滑り止め材５をシャフト保護部３の出入り口４の周縁部内面に取り付ける場合を一例として説明したが、滑り止め材５はシャフト保護部３と別体のものをシャフト保護部３に取り付けるのではなく、シャフト保護部３の出入り口４の周縁部を滑り止め特性のある素材で作るとか、出入り口４の周縁部に滑り止め特性のある（摩擦抵抗の大きい）樹脂などを含浸させて滑り止め材５とすることもできる。いずれの場合も、滑り止め材５はクラブヘッドＨに傷が付きにくく、滑りにくい材質のものが適する。
【００１９】
（使用例）
本実施形態のヘッドカバー１の使用例を、図２（ａ）、（ｂ）及び３（ａ）、（ｂ）を参照しながら説明する。
（１）図２（ａ）に示すように、クラブヘッドＨのソールＸが上を向くように身体の前に立て、ヘッドカバー１の開口部７を横に広げてクラブヘッドＨの先端部に宛がう。このとき、滑り止め材５をクラブヘッドＨに押しつけてヘッドカバー１を横滑りしにくくする。
（２）宛がったヘッドカバー１の外側から、滑り止め材５の周縁に左右の手の指を掛け、ヘッドカバー１をソールＸに沿って引き下げてクラブヘッドＨに被せる（図３（ａ）、（ｂ））。
（３）前記状態からヘッドカバー１をシャフトＳ側に引き下げて、クラブヘッドＨにヘッド保護部２を被せ、シャフトＳにシャフト保護部３を被せる。この場合、開口部７が図１のようにヘッド保護部２の頂部２ｅの真下側に形成されているため（図５）、被せたヘッド保護部２の向きが自動的にクラブヘッドＨの向きと合致し、被せた後にヘッド保護部２の向きを直す必要が無い。
【００２０】
図４に示すヘッドカバー１は次のようにして使用することができる。
（１）図２（ａ）に示すように、クラブヘッドＨのソールＸが上を向くように身体の前に立て、ヘッドカバーの開口部７を横に広げてクラブヘッドＨの先端部に宛がう。
（２）宛がったヘッドカバー１の外側から、外側の滑り止め材５の周縁に左右の手の指を掛け、ヘッドカバー１をソールＸに沿って引き下げてクラブヘッドＨに被せる（図３（ａ）、（ｂ））。
（３）前記状態からヘッドカバー１をシャフトＳ側に引き下げて、クラブヘッドＨにヘッド保護部２を被せ、シャフトＳにシャフト保護部３を被せる。この場合も、開口部７が図１のようにヘッド保護部２の頂部２ｅの真下側に形成されているため（図５）、被せたヘッド保護部２の向きが自動的にクラブヘッドＨの向きと合致し、被せた後にヘッド保護部２の向きを直す必要が無い。
【符号の説明】
【００２１】
１      ヘッドカバー
２      ヘッド保護部
２ａ    ソール部
２ｂ    背面部
２ｃ    側面部
２ｄ    側面部
２ｅ    頂部
３      シャフト保護部
３ａ    前面部
３ｂ    背面側部
３ｃ    背面側部
３ｄ    下端周縁
４      出入り口
５      滑り止め材
５ａ    接触面
５ｂ    上縁部
５ｃ    折り返し部
６      宛て材
７      開口部
７ａ    開口部の周縁部
Ｈ      クラブヘッド
Ｓ      シャフト
Ｘ      ソール
【図１】
0003159485.tif 000003
【図２】
0003159485.tif 000004
【図３】
0003159485.tif 000005
【図４】
0003159485.tif 000006
【図５】
0003159485.tif 000007